(57)【要約】【課題】  自己診断機能を有するスキャナ装置２００の自己診断の作業効率の低下を防止する。【解決手段】  制御プログラム格納メモリ１５は、項目毎の閾値情報を予め記憶し、ＡＤＦ用読取部１８は、自己診断の項目を装置内部を搬送される自己診断シートから読取り、診断制御部１６は、項目毎の自己診断を実行し、該自己診断による診断結果と上記閾値情報とを比較し、診断結果の合否を判断し、搬送制御部１７は、上記自己診断シートが特定する全ての項目について診断制御部１６が合格と判定すると上記自己診断シートを排出させ、診断制御部１６が所定の項目において不合格と判定すると、上記自己診断シートの搬送を上記所定の項目を示す位置で停止させる。【選択図】        図５
2008306463.tif 000002
【特許請求の範囲】
【請求項１】
原稿の画像を読み取る画像読取部と、
該原稿を搬送する搬送部と、
装置の自己診断を行う自己診断制御部とを備え、
該自己診断制御部は、診断結果に応じて、前記搬送部の搬送を制御することを特徴とする画像処理装置。
【請求項２】
前記自己診断制御部は、自己診断の内容を、前記画像読取部の読み取った画像に基づいて決定することを特徴とする請求項１に記載の画像処理装置。
【請求項３】
複数項目の自己診断機能を有する画像処理装置であって、
前記項目毎の閾値情報を予め記憶する診断情報記憶部と、
前記自己診断の項目を主操作方向の位置で特定する項目毎チェックラインを予め記録する自己診断シートと、
前記自己診断の項目を装置内部を搬送される前記自己診断シートから読取る画像読取部と、
前記画像読取部が読取る項目毎の自己診断を実行し、該自己診断による診断結果と前記閾値情報とを比較し、診断結果の合否を判断する診断制御部と、
前記自己診断シートが特定する全ての項目について前記診断制御部が合格と判定すると前記自己診断シートを排出させ、前記診断制御部が所定の項目において不合格と判定すると、前記自己診断シートの搬送を前記所定の項目を示す位置で停止させる搬送制御部とを備えることを特徴とする画像処理装置。
【請求項４】
前記自己診断シートは、前記自己診断の項目を主操作方向の位置で特定する項目毎チェックラインに替えて、前記自己診断の項目を特定する符号で記録することを特徴とする請求項３に記載の画像処理装置。
【請求項５】
前記画像処理装置は、複合印刷装置であることを特徴とする請求項１から請求項４までの何れか一項に記載の画像処理装置。
【発明の詳細な説明】
【技術分野】
【０００１】
本発明は、自己診断機能を有する画像処理装置に関するものである。
【背景技術】
【０００２】
近年、原稿画像を読み取り、各種画像処理を行う画像処理装置が普及している。かかる画像処理装置の一例としてスキャナ装置をあげることができる。このスキャナ装置の技術分野では、原稿画像を正確に再現するための自己診断処理の技術開発が進められている（例えば特許文献１参照）。その診断結果が所定の表示手段に表示されオペレータに通知される。
【特許文献１】特開平０５−３０８４８４号公報
【発明の開示】
【発明が解決しようとする課題】
【０００３】
しかしながら、低価格のスキャナ装置では、表示手段を備えていない場合が多い。かかる場合には、該スキャナ装置が、所定のネットワークに接続され、当該ネットワークに接続されているＰＣやプリンタの表示手段を用いることになる。その結果、作業効率が低下するという解決すべき課題が残されていた。
【課題を解決するための手段】
【０００４】
本発明は、複数項目の自己診断機能を有する画像処理装置であって、上記項目毎の閾値情報を予め記憶する診断情報記憶部と、上記自己診断の項目を用紙搬送の位置で特定する為予め所定の画像が記録された自己診断シートと、自己診断を実行し、該自己診断による診断結果と上記閾値情報とを比較し、診断結果の合否を判断する診断制御部と、上記自己診断シートが特定する全ての項目について上記診断制御部が合格と判定すると上記自己診断シートを排出させ、上記診断制御部が所定の項目において不合格と判定すると、上記自己診断シートの搬送を上記所定の項目を示す位置で停止させる搬送制御部とを備えることを主要な特徴とする。
【発明の効果】
【０００５】
装置内部を搬送される自己診断シートが特定する全ての項目について上記診断制御部が合格と判定すると上記自己診断シートを排出させ、上記診断制御部が所定の項目において不合格と判定すると、上記自己診断シートの搬送を上記所定の項目を示す位置で停止させる搬送制御部とを備えるので、自己診断シートが排出されるか否かによって自己診断結果の合否判定が可能になるため、画像処理装置を、所定のネットワークに接続する必要がなくなる。その結果、自己診断処理における作業効率の低下を排除出来るという効果を得る。
【発明を実施するための最良の形態】
【０００６】
本発明による画像処理装置は以下のように構成される。
【実施例１】
【０００７】
本発明では、自己診断を実行するための余分な表示手段を設けることなく、更に、作業効率の低下を防止するために、複数の診断項目を副操作方向の位置として特定した自己診断シート（後述）を予めＡＤＦユニットの用紙トレイにセットする。自己診断が開始されると、この診断シートが、ＡＤＦユニット内を搬送され、所定の位置で一旦停止する。このとき、その位置で特定されている診断項目が実行される。その診断結果が異常なければ、診断シートは更に搬送され、次の位置で停止する。同様に、その位置で特定されている診断項目が実行される。その診断結果に異常がなければ、診断シートは更に搬送され、次の位置で停止する。このようにして全診断項目が異常なければ、診断シートは、ＡＤＦユニットから排出されることになる。もし、所定の位置で特定される自己診断項目に異常が発生している場合には、自己診断シートは、その位置で停止状態を維持継続する。その結果、診断結果に異常が発生した診断項目は、診断シートの停止継続位置によってオペレータに認識されることになる。以上説明した機能を備えるために本実施例の画像処理装置は以下のように構成される。
【０００８】
ここでは、画像処理装置の一例としてスキャナ装置を挙げて説明する。
図１は、実施例１のスキャナ装置のＡＤＦユニットの外観図である。
図２は、実施例１のスキャナ装置のＦＢユニットの外観図である。
図３は、実施例１のスキャナ装置の要部断面図である。
図４は、実施例１のスキャナ装置の要部断面一部拡大図である。
【０００９】
最初に上記図１から図４までを併用し、本発明が適用される実施例１のスキャナ装置２００の機構部分の構成、及び、その機能について説明する。
図に示すように、スキャナ装置２００は、用紙２を供給する用紙トレイ３と、用紙２を搬送しながら用紙２上の画像を読み出すＡＤＦ（オートマチック・ドキュメント・フィード）ユニット４と、ＡＤＦユニット４から排出される用紙２の搬送方向の特定位置を示す指示マーク５と、原稿台７に載置された用紙２の画像を読み出すＦＢ（フラット・ベット）ユニット６とを備える。
【００１０】
ＡＤＦユニット４は、少なくとも、ピックアップローラ１０と、排出ローラ１１と、ＡＤＦ用読取ユニット１２と、用紙位置センサ１３（−１及び−２）とを有する。用紙トレイ３にセットされた用紙２は、ピックアップローラ１０によってＡＤＦユニット４の内部に搬送される。内部を搬送された用紙２の先頭位置は、用紙位置センサ１３（−１及び−２）によって把握される。又、用紙２は、排出ローラ１１によってＡＤＦユニット４の外に排出される。各ローラは図示しないＡＤＦモータにより駆動される。
【００１１】
尚、自己診断時には、予めチェック項目の領域が定められている自己診断シート（後述）が用紙トレイ３に供給されることになる。更に、本発明では、上記自己診断における全ての診断項目が合格と判定された場合のみ上記自己診断シート（用紙２）がＡＤＦユニット４の外に排出され、診断項目が不合格と判定されると、所定の位置で自己診断シートの排出は停止されることになる（詳細を後述する）。
【００１２】
更に、ＡＤＦ用読取ユニット１２は、搬送された用紙２の画像を読み取る部分である。画像読み取りは、密着センサ方式（ＣＩＳ）により実行される。密着センサは、イメージセンサ、ロッドレンズアレイ、光源から構成され、光源から用紙２に光を照射し、ロッドレンズアレイを透過した反射光をイメージセンサで受光する。この受光量を測定することによって画像データが生成される。
【００１３】
ＦＢユニット６は、用紙２を載置するための原稿台７と、原稿台７に載置された用紙２に記録された画像を図中下方から読み出すＦＢ用読取ユニット（キャリッジ）８と、ＦＢ用読取ユニット８を駆動する為のＦＢ用搬送ベルト９と、ＦＢ用搬送ベルト９の駆動を行う搬送モータ４１と、ＦＢ用読取ユニット８の基準位置を認識するためのＦＢ基準位置センサ４２と、後述するＦＢ用読取ユニット光量チェックに用いられる補正板４０とを有する。
【００１４】
ＦＢ用読取ユニット８は、縮小光学方式（ＣＣＤ方式）による読み取りを行う部分である。縮小光学方式（ＣＣＤ方式）では、一次元のＣＣＤ（チャージカップルドデバイス）イメージセンサ１０８と、レンズ１０６と、光源１０７と、ミラー１１１、１１２、１１３とを有している。光源１０７から用紙２に光を照射し、反射した光を更にミラー１１１、１１２、１１３で反射させ、レンズ１０６を通してＣＣＤイメージセンサ１０８で受光する。この受光量を測定することで画像データが生成される。そして一次元ＣＣＤを登載したキャリッジを移動させて順次ライン画像を読み取る。以上で実施例１のスキャナ装置２００の機構部分の説明を終了し、続いてスキャナ装置２００の制御機能について説明する。
【００１５】
図５は、実施例１のスキャナ装置の構成の機能ブロック図である。
図に示すように、実施例１のスキャナ装置２００は、用紙位置センサ１３と、診断スイッチ１４と、制御プログラム格納メモリ１５と、診断制御部１６と、搬送制御部１７と、ＡＤＦ用読取部１８と、ＡＤＦ用読取制御部１９と、ＦＢ用読取部２０と、ＦＢ用読取制御部２１と、Ｉ／Ｆ制御部２２と、メイン制御部２３と、画像メモリ２５と、バス１００とを備える。
【００１６】
用紙位置センサ１３は、ＡＤＦユニット４（図３）の内部を搬送される用紙２の先頭位置を検出し、少なくとも診断制御部１６へ通知するセンサである。図３では用紙位置センサ１３−１及び１３−２として表されている。診断スイッチ１４は、オペレータが押下することにより診断開始要求信号Ｓ１を生成するスイッチである。制御プログラム格納メモリ１５は、図示しないＣＰＵが実行することによって図中の各制御部を構成し、スキャナ装置２００の動作を制御する制御プログラム、及び制御データ（自己診断の閾値を含む）を予め格納するメモリである。この制御プログラムには、所定の診断項目毎に自己診断処理を実行する自己診断処理プログラムが含まれている。更に、その内部に診断手順格納領域１５−１が設けられており、この領域には、各診断項目の実行手順（順番を含む）を制御する実行手順制御プログラムが予め格納されている。
【００１７】
診断制御部１６は、診断開始要求信号Ｓ１を受入れると、メイン制御部２３が実行する自己診断処理を、上記診断手順格納領域１５−１に格納されている実行手順制御プログラムに基づいて制御する部分である。又、内部に有する合否判定手段１６−１は自己診断結果の合否判定を行う部分である。更に、診断開始要求信号Ｓ１、診断項目終了信号Ｓ３を入力すると共に、診断項目開始信号Ｓ２、診断結果通知信号Ｓ４、ＡＤＦモータ駆動要求信号Ｓ５、搬送モータ駆動要求信号Ｓ６を出力する部分である。
【００１８】
ここで、診断開始要求信号Ｓ１は、自己診断の実行開始を要求する信号であり、一例として、診断スイッチ１４をオペレータが押下すること等によって出力される信号である。診断項目開始信号Ｓ２は、上記診断項目の設定後に、その処理手順の開始を通知する信号である。診断項目終了信号Ｓ３は、後記診断項目毎にその処理手順の終了を通知する信号である。診断結果通知信号Ｓ４は、合否判定手段１６−１による判定結果を通知する信号である。ＡＤＦモータ駆動要求信号Ｓ５は、用紙２（自己診断シート）を搬送するために図示しないＡＤＦモータの回転を要求する信号である。搬送モータ駆動要求信号Ｓ６は、搬送モータ４１（図３）の回転を要求する信号である。
【００１９】
搬送制御部１７は、搬送モータ４１（図３）及び図示しないＡＤＦモータを駆動して用紙２またはＦＢ用読取ユニット８（図３）の搬送を制御する部分である。診断開始要求信号Ｓ１が入力され自己診断の実行が開始されると診断制御部１６の制御に基づいてピックアップローラ１０（図３）を駆動して用紙トレイ３（図３）にセットされている用紙２（図３）をＡＤＦユニット４（図３）の内部に搬送する部分である。又、ＡＤＦモータ駆動要求信号Ｓ５を受入れると、用紙２（自己診断シート）の搬送及び排出を実行する部分である。更に、診断制御部１６から搬送モータ駆動要求信号Ｓ６を受入れると、その制御に基づいてＦＢ用読取ユニット８（図３）を駆動する部分でもある。
【００２０】
ＡＤＦ用読取部１８は、ＡＤＦユニット４（図３）の内部を搬送される用紙２上に記録された画像に光を照射し、その反射光を密着イメージセンサによって受光し、記録されている画像を電気信号に変換する部分である。図３のＡＤＦ用読取ユニット１２がこの役割を分担する。
【００２１】
ＡＤＦ用読取制御部１９は、ＡＤＦ用読取部１８を制御し、ＡＤＦ用読取部１８から受入れた電気信号を画像データに変換する部分である。又、変換した画像データを画像メモリ２５に格納する部分でもある。
【００２２】
ＦＢ用読取部２０は、ＦＢユニット６の原稿台７にセットされた用紙２上に記録された画像に光を照射し、その反射光をＣＣＤセンサによって受光し、記録された画像を電気信号に変換する部分である。但し、自己診断時には、用紙２がセットされる必要は無い。かかる場合には、照射された光の補正板４０における反射光が受光されることになる。図３のＦＢ用読取ユニット８がこの役割を分担する。
【００２３】
ＦＢ用読取制御部２１は、ＦＢ用読取部２０を制御して搬送モータ４１（図３）を駆動し、ＦＢ用読取部２０を移動させながらＦＢ用読取部２０から受入れる電気信号を画像データに変換する部分である。又、変換した画像データを画像メモリ２５に格納する部分でもある。
【００２４】
Ｉ／Ｆ制御部２２は、スキャナ装置２００に接続されるプリンタ、ＰＣ、ファクシミリ装置等の機器との通信を制御するインタフェース部分である。メイン制御部２３は、装置全体を制御する部分であり、特に通常のスキャナ動作の実行制御全体を行う部分である。ここで通常のスキャナ動作とは、例えばＦＢユニット６によって取得された画像データを読み出してＩ／Ｆ制御部２２を介してプリンタ、ＰＣ、ファクシミリ装置等に出力することである。又、メイン制御部２３は、診断制御部１６を制御して各診断項目毎に自己診断処理を実行する部分でもある。即ち、診断制御部１６から診断項目開始信号Ｓ２を受入れると、所定の診断項目の診断を開始させ、その診断が終了すると診断項目終了信号Ｓ３を診断制御部１６へ送出する部分でもある。尚、各診断項目毎の診断順序は、上記のように診断制御部１６によって制御される。バス１００は各制御部分を通信接続する信号線路である。
【００２５】
次に本実施例に於ける自己診断処理の動作について説明する。
最初に自己診断シートの内容（一例）とその機能について説明する。
図６は、実施例１に於ける自己診断シートの説明図である。
自己診断処理では、図（一例）に示すように、用紙２の上に自己診断処理で実行される複数の診断項目が副操作方向の位置として特定された自己診断シート２６がＡＤＦユニット４（図１）の用紙トレイ３（図１）にセットされる。この状態は自己診断シート２６の先端位置が用紙位置センサ１３−１（図３）と同位置である。
【００２６】
図に於いて、診断スイッチ１４（図８）がオペレータにより押下され、診断開始要求信号Ｓ１が診断制御部４５（図８）に入力されると自己診断シート２６は自己診断セットマーク２７が指示マーク５（図１）に一致するまで副操作方向へ搬送される。ここで自己診断シート２６（図６）が搬送される距離Ｌは、用紙位置センサ１３−１（図３）から指示マーク５（図１）に至る距離をＺとすると、Ｌ＝Ｚ＋Ａとなる。
【００２７】
次にＲＡＭチェック段階では、自己診断シート２６は、ＲＡＭチェックマーク２８が指示マーク５（図１）に一致するまで搬送される。即ち、自己診断シート２６（図６）は、Ｂだけ副操作方向へ搬送される。同様に、読取ユニット光量チェック段階では、自己診断シート２６は、読取ユニット光量チェックマーク２９が指示マーク５（図１）に一致するまで、即ち、Ｃだけ副操作方向へ搬送される。同様に、搬送駆動チェック段階では、自己診断シート２６は、ＦＢ駆動チェックマーク３０が指示マーク５（図１）に一致するまで、即ち、Ｄだけ副操作方向へ搬送される。
【００２８】
全ての診断項目のチェックが合格すると、自己診断シート２６は、排出される。一方、途中の診断項目のチェックで不合格であった場合には、自己診断シート２６は、その位置で停止状態を継続することになる。また、以下の説明では、前提条件として、読取ユニット光量チェック、及び搬送駆動チェックは、それぞれＡＤＦユニット４（図１）、及びＦＢユニット６（図１）双方をチェックするものとする。但し、これは一例であって、装置の使用状態に合わせて、ＡＤＦユニット４（図１）、及びＦＢユニット６（図１）のどちらか一方毎にチェックしても良いし、あいは又、どちらか一方のみに限定してチェックしても良い。尚、診断項目は任意に選択可能である。
【００２９】
ここで、ＲＡＭチェックマーク２８は、画像メモリ２５（図５）のデバイス不良（ＲＡＭチェック）が診断される位置である。自己診断シート２６が、自己診断セットマーク２７から副走査方向へＢだけ進むと、メイン制御部２３（図５）が画像メモリ２５（図５）に００ｈ、５５ｈ、ＡＡｈ、ＦＦｈと書き込み、更に、これを読み出して書き込んだ値と比較する。両者が等しければ保守機能の正当性が確認される。この比較は、診断制御部１６（図５）によって実行され、その判定は、合否判定手段１６−１（図５）によって実行され、その結果は診断結果通知信号Ｓ４として出力される。
【００３０】
ＲＡＭチェックが不合格となるスキャナ装置２００では、画像メモリ２５を形成するメモリデバイス素子が不良であるため、メモリに記憶される画像データは正しい値を保持することが出来ない。従って、画素データは破壊され、読み出し先である用紙２に記載されている画像とスキャナ装置２００が読み出した画像データの不一致の発生原因となる。
【００３１】
読取ユニット光量チェックマーク２９は、ＡＤＦ用読取ユニット１２（図３）、及びＦＢ用読取ユニット８（図３）の光量安定性が診断される位置である。自己診断シート２６がＲＡＭチェックマーク２８から副走査方向に、更にＣだけ進むと開始される。ＡＤＦ用読取ユニット１２、及びＦＢ用読取ユニット８（図３）による受光感度が一定量の閾値以上であれば、光量チェックは合格となる。不合格であれば、読み出された画像データの画像再現不良の発生原因となる。この比較は、診断制御部１６（図５）によって実行され、その判定は、合否判定手段１６−１（図５）によって実行され、判定結果は診断結果通知信号Ｓ４として出力される。
【００３２】
ＦＢ駆動チェックマーク３０は、搬送制御部１７による搬送モータ４１（図３）の駆動制御により、ＦＢキャリッジ搬送を診断する位置である。自己診断シート２６が読取ユニット光量チェックマーク２９から副走査方向に、更にＤだけ進むと開始される。診断制御部１６（図５）は、まず、ＦＢ用読取ユニット８（図３）を基準位置センサ４２で認識される位置に移動させる。その後、ＦＢ用読取ユニット８を、搬送モータと４１によってチェック用に設定された移動量だけ右方向に移動させる。すると基準位置センサ４２は、ＦＢ用読取ユニット８を認識できなくなる。次に、診断制御部１６は搬送モータ４１を逆転させ、ＦＢ用読取ユニット８を前記設定された移動量だけ逆方向に移動させる。
ＦＢ用読取ユニット８の駆動が正常に行われていれば、基準位置センサ４２は、再びＦＢ用読取ユニット８を認識することができる。
このように、基準位置センサ４２がＦＢ用読取ユニット８を認識、非認識、そして再び認識することができれば、ＦＢキャリッジ駆動チェックは、合格と判断される。その判定は、合否判定手段１６−１（図５）によって実行され、判定結果は診断結果通知信号Ｓ４として出力される。
【００３３】
本実施例による自己診断処理では、予め上記ＲＡＭチェック、読取ユニット光量チェック、ＦＢ駆動チェックの実行順番が予め定められ、診断手順格納領域１５−１に格納されている。この実行手順の途中で合否判定手段１６−１が不合格の判定をすると自己診断処理はその時点で停止される。即ち、上記チェック項目の全てが合格した場合のみに上記自己診断シートが出力されることになる。
【００３４】
続いて本実施例に於けるスキャナ装置２００におけるＡＤＦユニットの自己診断処理の動作についてフローチャートを用いて説明する。
図７は、実施例１における自己診断処理の動作フローチャートである。
ステップＳ１００
自己診断シート２６（図６）を用紙トレイ３（図３）にセットする。
【００３５】
ステップＳ１０１
スキャナ装置２００（図３）は、診断開始要求信号Ｓ１の受入れ可能状態を維持している。
【００３６】
ステップＳ１０２
一例として、オペレータが診断スイッチ１４（図３）を押下すること等によって診断開始要求信号Ｓ１がスキャナ装置２００の診断制御部１６（図５）に入力されると自己診断シート２６（図６）は、Ａだけ搬送され、自己診断セットマーク２７（図６）が指示マーク５（図１）に一致するまで搬送され、自己診断処理が開始される。
【００３７】
ステップＳ１０３
診断制御部１６（図５）は診断手順格納領域１５−１（図５）に格納されている最初の診断項目（ここではＲＡＭチェック）を診断対象項目として設定する。
【００３８】
ステップＳ１０４
診断制御部１６（図５）は、診断項目開始信号Ｓ２を出力し、設定した診断項目であるＲＡＭチェックの実行をメイン制御部２３（図５）に通知する。メイン制御部２３の制御によって自己診断シート２６（図６）は、ＲＡＭチェックマーク２８（図６）が指示マーク５（図１）に一致するまで搬送され、ＲＡＭチェックが開始される。
【００３９】
ステップＳ１０５
メイン制御部２３（図５）はＲＡＭチェックを実行し、診断制御部１６（図５）はメイン制御部２３（図５）が出力する診断項目終了信号Ｓ３を待って待機する。
【００４０】
ステップＳ１０６
診断制御部１６（図５）は、診断項目終了信号Ｓ３（ＲＡＭチェック終了）を受入れると、合否判定手段１６−１（図５）が、その診断結果の合否を判定し、診断結果通知信号Ｓ４を出力する。
【００４１】
ステップＳ１０７
診断結果通知信号Ｓ４により診断結果が合格の場合にはステップＳ１０８へ進み、不合格の場合にはステップＳ１１９へ進む。
【００４２】
ステップＳ１０８
診断制御部１６（図５）は診断手順格納領域１５−１（図５）に格納されている次の診断項目である読取ユニット光量チェックの診断項目を診断対象項目として設定する。読取ユニット光量チェックは、上記前提により、ＡＤＦユニット４（図３）、及びＦＢユニット６（図３）の双方について実行される。
【００４３】
ステップＳ１０９
診断制御部１６（図５）は、診断項目開始信号Ｓ２を出力し、設定した診断項目である読み取りユニット光量チェックの実行をメイン制御部２３（図５）に通知する。メイン制御部２３の制御によって自己診断シート２６（図６）は、読取ユニット光量チェックマーク２９（図６）が指示マーク５（図１）に一致するまで搬送され、メイン制御部２３の制御によって読取ユニット光量チェックが開始される。
【００４４】
ステップＳ１１０
メイン制御部２３（図５）は読み取りユニット光量チェックを実行し、診断制御部１６（図５）はメイン制御部２３（図５）が出力する診断項目終了信号Ｓ３を待って待機する。
【００４５】
ステップＳ１１１
診断制御部１６（図５）は、診断項目終了信号Ｓ３（読取ユニット光量チェック終了）を受入れると、合否判定手段１６−１（図５）が、その診断結果の合否を判定し、診断結果通知信号Ｓ４を出力する。
【００４６】
ステップＳ１１２
診断結果通知信号Ｓ４により診断結果が合格の場合にはステップＳ１１３へ進み、不合格の場合にはステップＳ１１９へ進む。
【００４７】
ステップＳ１１３
診断制御部１６（図５）は診断手順格納領域１５−１（図５）に格納されている次の診断項目である搬送駆動チェックを診断対象項目として設定する。
【００４８】
ステップＳ１１４
診断制御部１６（図５）は、診断項目開始信号Ｓ２を出力し、設定した診断項目である搬送駆動チェックの実行をメイン制御部２３（図５）に通知する。メイン制御部２３の制御によってＦＢ用読取ユニット８（図３）の駆動チェックが開始される。
【００４９】
ステップＳ１１５
メイン制御部２３（図５）はＦＢユニット６（図３）、及びＡＤＦユニット４の（図３）搬送駆動チェックを実行し、診断制御部１６（図５）はメイン制御部２３（図５）が出力する診断項目終了信号Ｓ３を待って待機する。
【００５０】
ステップＳ１１６
診断制御部１６（図５）は、診断項目終了信号Ｓ３（ＦＢ用読取ユニット８（図３）の搬送駆動チェック終了）を受入れると、合否判定手段１６−１（図５）が、その診断結果の合否を判定する。
【００５１】
ステップＳ１１７
診断結果通知信号Ｓ４により診断結果が合格の場合にはステップＳ１１８へ進み、不合格の場合にはステップＳ１１９へ進む。
【００５２】
ステップＳ１１８
一連の自己診断が合格であるので、診断制御部１６（図５）は搬送制御部１７（図５）にＡＤＦモータ駆動要求信号Ｓ５を送出し自己診断シート２６（図６）を排出させる。その結果、オペレータに対して自己診断が合格したこと通知したことになる。
【００５３】
ステップＳ１１９
診断制御部１６（図５）は、自己診断シート２６（図６）の診断不合格である項目の指示マーク５（図１）が示しており、その結果に基づいて不合格であった診断項目をオペレータに認識させる。
【００５４】
自己診断シート２６（図６）の上端から各ラインまでの距離を表すＡ、Ｂ、Ｃ、Ｄ、及び用紙位置センサ１３−１（図３）から指示マーク５（図１）に至る距離Ｚが診断手順格納領域１５−１（図５）に予め格納されている。従って、上記搬送距離は、容易に算出される。一例を提示すれば、読取ユニット光量チェックが不合格であったならば、指示マーク５（図１）が読取ユニット光量チェックマーク２９（図６）を指し示すための搬送距離Ｍ（ｍｍ）は、Ｍ（ｍｍ）＝（Ａ＋Ｂ＋Ｃ＋Ｚ）（ｍｍ）となる。
【００５５】
また、本実施例では、診断制御部１６（図３）および診断スイッチ１４（図３）は、スキャナ装置２００に備えるものとして説明したが、Ｉ／Ｆ制御部２２（図５）を介して接続されたスキャナ装置２００（図３）以外の機器にあってもよい。更に、診断制御部１６（図３）から、スキャナ装置２００（図３）に接続されたプリンタやファクシミリの制御部に診断要求信号を出力することで、スキャナ装置２００（図３）以外の診断も可能である。
【００５６】
以上説明したように、本実施例によれば、診断項目を記載した自己診断シート（用紙２）を予め用紙トレイ３にセットした後に自己診断を開始することで、ＰＣやプリンタに接続しなくても自己診断の結果を容易にユーザーに知らせることができるという効果を得る。
【実施例２】
【００５７】
図８は、実施例２のスキャナ装置の構成の機能ブロック図である。
図に示すように、実施例２のスキャナ装置４００は、用紙位置センサ１３と、診断スイッチ１４と、搬送制御部１７と、ＡＤＦ用読取部１８と、ＡＤＦ用読取制御部１９と、ＦＢ用読取部２０と、ＦＢ用読取制御部２１と、Ｉ／Ｆ制御部２２と、メイン制御部２３と、画像メモリ２５と、制御プログラム格納メモリ４４と、診断制御部４５と、バス１００とを備える。以下に実施例１との相違部分のみについて説明する。
【００５８】
制御プログラム格納メモリ４４は、図示しないＣＰＵが実行することによって図中の各制御部を構成し、スキャナ装置４００の動作を制御する制御プログラム、及び制御データ（自己診断の閾値を含む）を予め格納するメモリ（ＲＯＭ）である。この制御プログラムには、所定の診断項目毎に自己診断処理を実行する自己診断処理プログラムが含まれている。更に、その内部に診断符号格納領域４４−１が設けられている。この領域には、後に説明する自己診断シート３３に記載されているバーコード（診断符号）と診断項目との対応情報、及びその実行手順が予め格納されている。
【００５９】
診断制御部４５は、診断開始要求信号Ｓ１を受入れると、メイン制御部２３が実行する自己診断処理を、上記診断符号格納領域４４−１に格納されている実行手順制御プログラムに基づいて制御する部分である。又、内部に有する合否判定手段４５−１は自己診断結果の合否判定を行う部分である。更に、診断開始要求信号Ｓ１、診断項目終了信号Ｓ３を入力すると共に、診断項目開始信号Ｓ２、診断結果通知信号Ｓ４、ＡＤＦモータ駆動要求信号Ｓ５、搬送モータ駆動要求信号Ｓ６を出力する部分である。
【００６０】
ここで、診断開始要求信号Ｓ１は、自己診断の実行開始を要求する信号であり、一例として、診断スイッチ１４（図３）をオペレータが押下すること等（１例）によって出力される信号である。診断項目開始信号Ｓ２は、上記診断項目を決定し、その処理手順の開始を通知する信号である。診断項目終了信号Ｓ３は、診断項目毎にその処理手順の終了を通知する信号である。診断結果通知信号Ｓ４は、合否判定手段１６−１による判定結果を通知する信号である。ＡＤＦモータ駆動要求信号Ｓ５は、用紙２（自己診断シート）を搬送するために図示しないＡＤＦモータの回転を要求する信号である。尚、実施例２のスキャナ装置４００の機構部分、及び、その動作については、図１から図４を用いて説明した実施例１と全く同様なので説明を省略する。
【００６１】
図９は、実施例２における自己診断シートの説明図である。
自己診断シート３３は、自己診断で実行する診断項目を示すバーコードと、診断の終了を示すバーコードが記録された自己診断シート（用紙２）である。本実施例の説明では、便宜上、自己診断は、実施例１と同様に、ＲＡＭチェックと、読取ユニット光量チェックと、搬送駆動チェックとを実施するものとして説明する。図中、ＲＡＭチェックバーコード３４は、ＲＡＭチェックの実行を示す符号である。読取ユニット光量チェックバーコード３５は、読取ユニット光量チェックの実行を示す符号である。搬送駆動チェックバーコード３６は、搬送駆動チェックの実行を示す符号である。診断終了バーコード３７は、診断終了を示す符号である。
【００６２】
続いて本実施例に於けるスキャナ装置２００の自己診断処理の動作についてフローチャートを用いて説明する。本実施例でも実施例１と同様に、前提条件として、ＡＤＦユニット４（図１）、及びＦＢユニット６（図１）の双方をチェックするものとする。但し、これは一例であって、装置の使用状態に合わせて、ＡＤＦユニット４（図１）、及びＦＢユニット６（図１）のどちらか一方毎にチェックしても良いし、あいは又、どちらか一方のみに限定してチェックしても良い。尚、診断項目は任意に選択可能である。
図１０は、実施例２における自己診断処理の動作フローチャートである。
【００６３】
ステップＳ２００
自己診断シート３３（図９）を用紙トレイ３（図３）にセットする。
【００６４】
ステップＳ２０１
スキャナ装置４００（図８）は、診断開始要求信号Ｓ１の受入れ可能状態を維持している。
【００６５】
ステップＳ２０２
オペレータが一例として、診断スイッチ１４（図８）を押下すること等によって診断開始要求信号Ｓ１がスキャナ装置４００の診断制御部４５（図８）に入力され自己診断処理が開始される。
【００６６】
ステップＳ２０３
診断制御部４５（図８）は、ＡＤＦモータ駆動要求信号Ｓ５（図８）を搬送制御部１７（図８）に送出し、自己診断シート３３（図９）をバーコード位置まで搬送させる。
【００６７】
ステップＳ２０４
診断制御部４５（図８）は、ＡＤＦ用読取制御部１９（図８）を介して、自己診断シート３３（図９）のバーコードを読み取る。
【００６８】
ステップＳ２０５
診断制御部４５（図８）は、ＡＤＦ用読取制御部１９（図８）が取得したバーコードの読み取り情報と、診断符号格納領域４４−１（図８）に記憶されている情報より項目をＲＡＭチェックバーコード３４（図９）と判断し、このＲＡＭチェックを診断対象項目として設定する。
【００６９】
ステップＳ２０６
診断制御部４５（図８）は、診断項目開始信号Ｓ２を出力し、設定した診断項目であるＲＡＭチェックの実行をメイン制御部２３（図８）に通知する。メイン制御部２３の制御によってＲＡＭチェックが開始される。
【００７０】
ステップＳ２０７
メイン制御部２３（図８）はＲＡＭチェックを実行し、診断制御部４５（図８）はメイン制御部２３（図８）が出力する診断項目終了信号Ｓ３を待って待機する。
【００７１】
ステップＳ２０８
診断制御部４５（図８）は、診断項目終了信号Ｓ３（ＲＡＭチェック終了）を受入れると、合否判定手段４５−１（図８）が、その診断結果の合否を判定し、診断結果通知信号Ｓ４を出力する。
【００７２】
ステップＳ２０９
診断結果通知信号Ｓ４により診断結果が合格の場合にはステップＳ２１０へ進み、不合格の場合にはステップＳ２２８へ進む。
【００７３】
ステップＳ２１０
診断制御部４５（図８）は、ＡＤＦモータ駆動要求信号Ｓ５を搬送制御部１７（図８）に送出し、自己診断シート３３（図９）を次のバーコード位置まで搬送させる。
【００７４】
ステップＳ２１１
診断制御部４５（図８）は、ＡＤＦ用読取制御部１９（図８）を介して、自己診断シート３３（図９）のバーコードを読み取る。
【００７５】
ステップＳ２１２
診断制御部４５（図８）は、ＡＤＦ用読取制御部１９（図８）が取得したバーコードの読み取り情報と、診断符号格納領域４４−１（図８）に記憶されている情報より項目を読取ユニット光量チェックバーコード３５（図９）と判断し、この読取ユニット光量チェック診断対象項目として設定する。
【００７６】
ステップＳ２１３
診断制御部４５（図８）は、診断項目開始信号Ｓ２を出力し、設定した診断項目である読取ユニット光量チェックの実行をメイン制御部２３（図８）に通知する。メイン制御部２３の制御によってＦＢ読取ユニット光量チェックが開始される。
【００７７】
ステップＳ２１４
メイン制御部２３（図８）は読取ユニット光量チェックを実行し、診断制御部４５（図８）はメイン制御部２３（図８）が出力する診断項目終了信号Ｓ３を待って待機する。
【００７８】
ステップＳ２１５
診断制御部４５（図８）は、診断項目終了信号Ｓ３（読取ユニット光量チェック終了）を受入れると、合否判定手段４５−１（図８）が、その診断結果の合否を判定し、診断結果通知信号Ｓ４を出力する。
【００７９】
ステップＳ２１６
診断結果通知信号Ｓ４により診断結果が合格の場合にはステップＳ２１７へ進み、不合格の場合にはステップＳ２２８へ進む。
【００８０】
ステップＳ２１７
診断制御部４５（図８）は、ＡＤＦモータ駆動要求信号Ｓ５を搬送制御部１７（図８）に送出し、自己診断シート３３（図９）を次のバーコード位置まで搬送させる。
【００８１】
ステップＳ２１８
診断制御部４５（図８）は、ＡＤＦ用読取制御部１９（図８）を介して、自己診断シート３３（図９）のバーコードを読み取る。
【００８２】
ステップＳ２１９
診断制御部４５（図８）は、ＡＤＦ用読取制御部１９（図８）が取得したバーコードの読み取り情報と、診断符号格納領域４４−１（図８）に記憶されている情報より項目を搬送駆動チェックバーコード３６（図９）と判断し、この搬送駆動チェックを診断対象項目として設定する。
【００８３】
ステップＳ２２０
診断制御部４５（図８）は、診断項目開始信号Ｓ２を出力し、設定した診断項目である搬送駆動チェックの実行をメイン制御部２３（図８）に通知する。メイン制御部２３の制御によって搬送駆動チェックが開始される。
【００８４】
ステップＳ２２１
メイン制御部２３（図８）は搬送駆動チェックを実行し、診断制御部４５（図８）はメイン制御部２３（図８）が出力する診断項目終了信号Ｓ３を待って待機する。
【００８５】
ステップＳ２２２
診断制御部４５（図８）は、診断項目終了信号Ｓ３（搬送駆動チェック終了）を受入れると、合否判定手段４５−１（図８）が、その診断結果の合否を判定し、診断結果通知信号Ｓ４を出力する。
【００８６】
ステップＳ２２３
診断結果通知信号Ｓ４により診断結果が合格の場合にはステップＳ２２４へ進み、不合格の場合にはステップＳ２２８へ進む。
【００８７】
ステップＳ２２４
診断制御部４５（図８）は、ＡＤＦモータ駆動要求信号Ｓ５を搬送制御部１７（図８）に送出し、自己診断シート３３（図９）を次のバーコード位置まで搬送させる。
【００８８】
ステップＳ２２５
診断制御部４５（図８）は、ＡＤＦ用読取制御部１９（図８）を介して、自己診断シート３３（図９）のバーコードを読み取る。
【００８９】
ステップＳ２２６
診断制御部４５（図８）は、ＡＤＦ用読取制御部１９（図８）が取得したバーコードの読み取り情報と、診断符号格納領域４４−１（図８）に記憶されている情報より項目を診断終了バーコード３７（図９）と判断する。
【００９０】
ステップＳ２２７
一連の自己診断が合格であるので、診断制御部４５（図８）は搬送制御部１７（図８）にＡＤＦモータ駆動要求信号Ｓ５を送出し自己診断シート３３（図９）を排出させる。その結果、オペレータに対して自己診断の合格を通知したことになる。
【００９１】
ステップＳ２２８
診断結果が不合格なので、診断制御部４５（図８）は、自己診断シート３３（図９）の搬送停止を搬送制御部１７に通知してフローを終了する。
【００９２】
以上説明したように、本実施例によれば、自己診断シート上における各チェック項目の識別にバーコードを用いたので、実施例１の効果にプラスして、シートに応じて自己診断項目を選択することが可能になるという効果を得る。
【産業上の利用可能性】
【００９３】
実施例では、本発明をスキャナ装置に適用した例について説明したが、本発明は、この例に限定されるものではない。即ち、ファクシミリ、複写機、スキャナとプリンタを組み合わせた複合印刷装置にも適用が可能である。
【図面の簡単な説明】
【００９４】
【図１】実施例１のスキャナ装置のＡＤＦユニットの外観図である。
【図２】実施例１のスキャナ装置のＦＢユニットの外観図である。
【図３】実施例１のスキャナ装置の要部断面図である。
【図４】実施例１のスキャナ装置の要部断面一部拡大図である。
【図５】実施例１のスキャナ装置の構成の機能ブロック図である。
【図６】実施例１に於ける自己診断シートの説明図である。
【図７】実施例１における自己診断処理の動作フローチャートである。
【図８】実施例２のスキャナ装置の構成の機能ブロック図である。
【図９】実施例２における自己診断シートの説明図である。
【図１０】実施例２における自己診断処理の動作フローチャートである。
【符号の説明】
【００９５】
１３    用紙位置センサ
１４    診断スイッチ
１５    制御プログラム格納メモリ
１５−１    診断手順格納領域
１６    診断制御部
１６−１    合否判定手段
１７    搬送制御部
１８    ＡＤＦ用読取部
１９    ＡＤＦ用読取制御部
２０    ＦＢ用読取部
２１    ＦＢ用読取制御部
２２    Ｉ／Ｆ制御部
２３    メイン制御部
２５    画像メモリ
４２    ＦＢ基準位置センサ
２００    スキャナ装置
Ｓ１    診断開始要求信号
Ｓ２    診断項目開始信号
Ｓ３    診断項目終了信号
Ｓ４    診断結果通知信号
Ｓ５    ＡＤＦモータ駆動要求信号
Ｓ６    搬送モータ駆動要求信号
【図１】
2008306463.tif 000003
【図２】
2008306463.tif 000004
【図３】
2008306463.tif 000005
【図４】
2008306463.tif 000006
【図５】
2008306463.tif 000007
【図６】
2008306463.tif 000008
【図７】
2008306463.tif 000009
【図８】
2008306463.tif 000010
【図９】
2008306463.tif 000011
【図１０】
2008306463.tif 000012